(57)【要約】【課題】キャリッジ側とヘッドカートリッジ側の電気的な接続部の信頼性を高めることができるインクジェット記録装置を提供すること。【解決手段】ヘッドカートリッジにインクタンク５１が装着されているときには、インクタンク５１の規制面５１Ｇによって、セットレバー３０のフック３５が矢印Ａのロック解除方向に操作されることを阻止する。これにより、キャリッジ４０３からのヘッドカートリッジの取り外しが阻止され、かつキャリッジ４０３とヘッドカートリッジとの電気的な接続状態が維持される。ヘッドカートリッジを取り外すためには、インクタンク５１を取り外すことが必要となる。【選択図】図１１
2008049566.tif 000002
【特許請求の範囲】
【請求項１】
インクタンクが交換可能に装着され、かつ前記インクタンクから供給されるインクを吐出可能な記録ヘッドが備わるヘッドカートリッジを用い、そのヘッドカートリッジが着脱自在に装着されるキャリッジの移動を伴って、記録媒体に画像を記録可能なインクジェット記録装置において、
前記キャリッジに設けられ、前記ヘッドカートリッジに設けられたヘッドカートリッジ側接続部と圧接することによって、前記記録ヘッドの制御信号の伝達経路を形成するキャリッジ側接続部と、
前記ヘッドカートリッジが前記キャリッジに装着されたときに、前記ヘッドカートリッジ側接続部と前記キャリッジ側接続部とを圧接させる圧接手段と、
前記ヘッドカートリッジが前記キャリッジに装着されたときに前記ヘッドカートリッジを前記キャリッジに固定し、かつ解除操作されることによって前記ヘッドカートリッジの固定を解除するロック手段と、
前記インクタンクが前記ヘッドカートリッジに装着されているときに、前記圧接手段による前記ヘッドカートリッジ側接続部と前記キャリッジ側接続部との圧接を維持したまま、前記ロック手段の解除操作を阻止し、前記インクタンクが前記ヘッドカートリッジに装着されていないときに、前記ロック手段の解除操作を可能とする阻止手段と、
を備えることを特徴とするインクジェット記録装置。
【請求項２】
前記圧接手段は、前記ヘッドカートリッジが前記キャリッジに装着されたときに、前記ヘッドカートリッジ側接続部と前記キャリッジ側接続部とを圧接させる方向に前記ヘッドカートリッジを押し付ける
ことを特徴とする請求項１に記載のインクジェット記録装置。
【請求項３】
前記阻止手段は、前記ヘッドカートリッジに装着された前記インクタンクによって、前記ロック手段の解除操作を阻止することを特徴とする請求項１または２に記載のインクジェット記録装置。
【請求項４】
前記キャリッジ側接続部は、弾性体を介して前記キャリッジに備わることを特徴とする請求項１から３のいずれかに記載のインクジェット記録装置。
【請求項５】
前記キャリッジ側接続部はカードエッジコネクタであることを特徴とする請求項１から４のいずれかに記載のインクジェット記録装置。
【請求項６】
前記ロック手段は、
前記キャリッジに回動自在に取り付けられたセットレバーを備え、
前記セットレバーが特定の回動位置にロックされることによって前記ヘッドカートリッジを前記キャリッジに固定し、前記セットレバーのロックが解除されることによって前記ヘッドカートリッジの固定を解除する
ことを特徴とする請求項１から５のいずれかに記載のインクジェット記録装置。
【請求項７】
前記ロック手段は、ロック解除方向に操作されることによって前記セットレバーのロックを解除するフックを備え、
前記阻止手段は、前記インクタンクが前記ヘッドカートリッジに装着されているときに前記フックの前記ロック解除方向への操作を阻止し、前記インクタンクが前記ヘッドカートリッジに装着されていないときに前記フックの前記ロック解除方向への操作を可能とする
ことを特徴とする請求項６に記載のインクジェット記録装置。
【請求項８】
前記阻止手段は、前記インクタンクに形成された規制面によって、前記フックの前記ロック解除方向への操作を阻止することを特徴とする請求項７に記載のインクジェット記録装置。
【請求項９】
前記ロック手段は前記フックを２つ備え、
前記２つのフックのいずれもが前記ロック解除方向に操作されたときに前記セットレバーのロックを解除し、前記２つのフックの一方のみが前記ロック解除方向に操作されたときには前記セットレバーのロックを解除しない
ことを特徴とする請求項７または８に記載のインクジェット記録装置。
【請求項１０】
前記ロックが解除されたときに、前記セットレバーを跳ね上げるためのポップアップスプリング部を備えることを特徴とする請求項６から１０のいずれかに記載のインクジェット記録装置。
【発明の詳細な説明】
【技術分野】
【０００１】
本発明は、キャリッジに対して、記録ヘッドが備わるヘッドカートリッジが着脱自在に装着され、そのヘッドカートリッジに対して、インクタンクが交換可能に装着されるインクジェット記録装置に関するものである。
【背景技術】
【０００２】
記録装置としては、プリンタ、複写機、ファクシミリ等の機能を有する記録装置、あるいはコンピュータやワードプロセッサ等を含む複合型電子機器の出力機器として用いられる記録装置、およびワークステーションの出力機器として用いられる記録装置がある。このような記録装置は、画像情報に基づいて、用紙やプラスチック薄板等の記録材（記録媒体）に画像を記録するように構成されている。
【０００３】
また記録装置は、記録方式により、インクジェット方式、ワイヤードット方式、サーマル方式、レーザービーム方式等に分けることができる。その中でも特にインクジェット方式は、記録画像の高画質化と低ランニングコストを実現することができるため、近年においては、広く一般家庭に普及してきている。これに伴い、記録装置の小型化、ならびに軽量化が益々求められている。通常、このような普及型のインクジェット方式の記録装置（インクジェット記録装置）における記録ヘッドは、そのメンテナンス等のために記録装置のヘッド装着部（シリアルスキャンタイプの記録装置においては、キャリッジ）に着脱可能に装着される。ヘッド装着部における記録ヘッドの着脱機構としては、ユーザーができるだけ簡単、かつ間違わずに記録ヘッドの着脱ができる構成が要求される。
【０００４】
特許文献１には、キャリッジに対して、記録ヘッドを備えたヘッドカートリッジが着脱自在に搭載され、さらに、そのヘッドカートリッジに対してインクタンクが交換可能に装着されるシリアルスキャンタイプのインクジェット記録装置が記載されている。キャリッジには、ヘッドカートリッジの着脱時に操作されるレバーが備えられている。ヘッドカートリッジをキャリッジに装着してから、そのレバーを一方向に操作することにより、ヘッドカートリッジがキャリッジに固定され、ヘッドカートリッジ側の接点がキャリッジ側の接点に押し付けられて、それらが電気的に接続される。そのレバーを他方向に操作することにより、キャリッジ側の接点に対するヘッドカートリッジ側の接点の押し付けを解除して、キャリッジからヘッドカートリッジを外すことができる。
【０００５】
しかし、このような構成の記録装置においては、ヘッドカートリッジからインクタンクを外す際に、ユーザーが誤ってレバーを操作して、キャリッジからヘッドカートリッジを外してしまうおそれがある。インクタンクの交換頻度に比して、ヘッドカートリッジの交換頻度は極めて低く、またキャリッジからヘッドカートリッジを外した場合には、そのヘッドカートリッジに備わる記録ヘッドの環境の変化および周辺物との接触によって、ダメージを受けるおそれがある。
【０００６】
このような観点から、近年においては、ヘッドカートリッジからインクタンクを外さなければレバーが他方向に完全に操作できないように、レバーの他方向の操作を制限する構成を備えた記録装置もある。レバーを他方向に完全に操作できなければ、キャリッジ側の接点に対するヘッドカートリッジ側の接点の押し付け力は緩むものの、ヘッドカートリッジを外すことはできない。このように、インクタンクの取り外しを条件として、ヘッドカートリッジの外しを可能とすることにより、ユーザーが誤ってヘッドカートリッジを外してしまう事態を未然に回避することができる。
【０００７】
【特許文献１】特開２００４−９０３４３号公報
【発明の開示】
【発明が解決しようとする課題】
【０００８】
しかし、上記のようにレバーの他方向の操作を制限した場合には、ヘッドカートリッジは外せなくできるものの、キャリッジ側の接点に対するヘッドカートリッジ側の接点の押し付け力は緩んでしまう。そのため、それらの接点が離れて、それらの電気的な導通状態が維持されなくなるおそれがある。
【０００９】
キャリッジ側とヘッドカートリッジ側の接点は、記録ヘッドの駆動信号などを伝えるために重要であり、それらの接点は、電気的な導通状態に維持して磨耗を防止することが望ましい。
【００１０】
本発明の目的は、キャリッジ側とヘッドカートリッジ側の電気的な接続部の信頼性を高めることができるインクジェット記録装置を提供することにある。
【課題を解決するための手段】
【００１１】
本発明のインクジェット記録装置は、インクタンクが交換可能に装着され、かつ前記インクタンクから供給されるインクを吐出可能な記録ヘッドが備わるヘッドカートリッジを用い、そのヘッドカートリッジが着脱自在に装着されるキャリッジの移動を伴って、記録媒体に画像を記録可能なインクジェット記録装置において、
前記キャリッジに設けられ、前記ヘッドカートリッジに設けられたヘッドカートリッジ側接続部と圧接することによって、前記記録ヘッドの制御信号の伝達経路を形成するキャリッジ側接続部と、
前記ヘッドカートリッジが前記キャリッジに装着されたときに、前記ヘッドカートリッジ側接続部と前記キャリッジ側接続部とを圧接させる圧接手段と、
前記ヘッドカートリッジが前記キャリッジに装着されたときに前記ヘッドカートリッジを前記キャリッジに固定し、かつ解除操作されることによって前記ヘッドカートリッジの固定を解除するロック手段と、
前記インクタンクが前記ヘッドカートリッジに装着されているときに、前記圧接手段による前記ヘッドカートリッジ側接続部と前記キャリッジ側接続部との圧接を維持したまま、前記ロック手段の解除操作を阻止し、前記インクタンクが前記ヘッドカートリッジに装着されていないときに、前記ロック手段の解除操作を可能とする阻止手段と、
を備えることを特徴とする。
【発明の効果】
【００１２】
本発明によれば、ヘッドカートリッジにインクタンクが装着されているときには、キャリッジからのヘッドカートリッジの取り外しを阻止し、かつキャリッジとヘッドカートリッジとの電気的な接続状態を維持する。そのため、ヘッドカートリッジを取り外すためには、インクタンクを取り外すことが必要となる。したがって、インクタンクの交換時に、ユーザーが誤ってヘッドカートリッジを取り外すおそれがなく、またキャリッジとヘッドカートリッジとの電気的な接続部の不要な接触および離間を防止することができる。この結果、それらの電気的な接続部の信頼性を高めることができる。
【発明を実施するための最良の形態】
【００１３】
以下、図面を参照して本発明の実施形態について詳細に説明する。
【００１４】
図１は、本発明を適用したインクジェット記録装置のカバーオープン時の斜視図、図２は内部機構の斜視図、図３はキャリッジ部の斜視図である。これらの図において、１００はプリンタユニットのシャーシ部、２００は給紙部、３００は紙送り部、４００は、記録ヘッドとインクタンクが搭載されキャリッジ部、５００は排紙部である。また、６００は記録ヘッドのメンテナンスを行う回復部、７００は記録装置を覆うカバー部であり、給紙部２００の後方には記録装置本体の制御を行うためのプリント基板（不図示）が配置されている。
【００１５】
キャリッジ４０３は、両端部がシャーシ部１００に固定されたガイドシャフト４０１およびガイドレール４０２によって、記録媒体が搬送される矢印Ｙの副走査方向と交差（本例の場合は直交）する矢印Ｘの主走査方向に移動自在にガイドされる。このキャリッジ４０３には、記録ヘッドを備えるヘッドカートリッジ２０（図６参照）が着脱自在に装着される。キャリッジ駆動モータ４０４の出力軸に固定された駆動プーリ４０５と、回転自在に軸支された不図示の従動プーリ４４との間には、駆動ベルト４１２が掛け渡されており、その駆動ベルト４１２はキャリッジ４０３に連結されている。したがって、キャリッジ駆動モータ４０４を駆動させることにより、駆動ベルト４０５を介して、キャリッジ４０３が主走査方向に往復移動する。
【００１６】
紙送り部３００は、不図示のＬＦ駆動モータにより駆動されるＬＦローラ３０１と、そのＬＦローラ３０１の下方にあるピンチローラ３０２と、によって、記録媒体を挟持して矢印Ｙの副走査方向に搬送する。
【００１７】
本例のヘッドカートリッジ２０に備わる記録ヘッドには、イエロー（Ｙ），マゼンタ（Ｍ），シアン（Ｃ），フォトブラック（Ｂｋ）のインクを吐出可能な吐出部が形成されている。またヘッドカートリッジ２０には、それらのＹ，Ｍ，Ｃ，Ｂｋのインクを収容するカラーインクタンク５１（図７参照）が交換可能に装着されるインクタンクホルダ２１が形成されている。また、ヘッドカートリッジ２０には、顔料ブラックインクを収容するブラックインクタンク５２（図１１参照）が交換可能に装着されるインクタンクホルダ２２が形成されている。ヘッドカートリッジ２０に、インクタンク５１，５２内のインクを吐出するための記録ヘッドを備えた場合には、それぞれのホルダ２１，２２にインクタンク５１，５２が装着される。本例の場合は、インクタンク５１内のインクを吐出するための記録ヘッドが備えられているため、インクタンク５２を装着する代わりに、後述するようにセットレバー３０にタンクカバー５３が装着されている。
【００１８】
記録ヘッドの駆動信号は、インクジェット記録装置の制御基板（不図示）から、不図示のフレキシブルケーブル、キャリッジの４０３のケーブルコネクタ４１１およびカートリッジコネクタ４１２に伝送される（図４参照）。カートリッジコネクタ４１２はカードエッジコネクタであり、弾性部材を介してキャリッジ４０３に備えられている。その弾性部材により、カートリッジコネクタ４１２と後述する接点基板２５との接触圧が確保される。ケーブルコネクタ４１１およびカートリッジコネクタ４１２は、金属板４１３と共にキャリッジ４０３に組み付けられている。そして記録ヘッドの駆動信号は、カートリッジコネクタ４１２から、ヘッドカートリッジ２０側の接点基板２５（図６参照）を介して記録ヘッドに伝送される。その駆動信号に基づいて、記録ヘッドの吐出部からインクが吐出される。
【００１９】
キャリッジ４０３には、図３および図８（ａ）のように、ヘッドカートリッジ２０を収容するための開口部４０３Ａが形成されている。図８（ｂ）のように、この開口部４０３Ａに対して、ヘッドカートリッジ２０が上方から挿入できるようになっている。また、シャフト４０１に摺動自在に嵌まり合うキャリッジ４０３の左右の軸受け部には、セットレバー３０の基端側の軸孔部３１，３２（図５参照）が回転自在に嵌め合わされている。このセットレバー３０は、図８（ｂ）のようにヘッドカートリッジ２０が装着されるときには、上方の退避位置に回動されている。そしてセットレバー３０は、ヘッドカートリッジ２０の装着後に、図９（ａ）のように下方に回動されて、ヘッドカートリッジ２０をキャリッジ４０３に固定する。
【００２０】
セットレバー３０は金属板によって図５のように形成されており、その先端側の左右の部分３３，３４には、ユーザーによって矢印Ａ，Ｂ方向に操作される樹脂製の左右のヘッドセットフック３５，３６が圧入固定されている。それらのフック３５，３６には、キャリッジ４０３の左右のロック穴４１４，４１４（図３において、右側のロック穴４１４は不図示）に係合可能な爪部３５Ａ，３６Ａが形成されている。セットレバー３０の回転中心近傍の左右には、別の金属板によって形成された左右のスプリング部３７，３８がねじによって固定されている。それらのスプリング部３７，３８の先端３７Ａ，３８Ａは上方向に曲げられている。それらの先端３７Ａ，３８Ａがヘッドカートリッジ２０の左右の斜面２３，２４（図６参照）を押圧することにより、ヘッドカートリッジ２０側の接点基板２５がキャリッジ４０３側のコネクタ４１２（図４参照）に押し付けられて、それらが電気的に接続される。また、セットレバー３０の左右の下端には、ポップアップスプリング部４１が形成されている。ポップアップスプリング部４１は、セットレバー３０が下方に回動されたときにキャリッジ４０３側の凸部４０３Ｂによって変形され、後述するようにセットレバー３０のロックが解除されたときに、その弾性復元力によってセットレバー３０を上方に跳ね上げる。
【００２１】
本例のセットレバー３０には、ブラックインクタンク５２（図１１参照）の装着が可能なヘッドカートリッジ２０のホルダ２２を覆うように、タンクカバー５３が取り付けられており、これによりブラックインクタンク５２が装着できないようになっている。ブラックインクタンク５２を装着する場合には、このタンクカバー５３を取り付けなければよい。
【００２２】
Ｙ，Ｍ，Ｃ，Ｂｋのインクを収容するカラーインクタンク５１（図７参照）の底面には、それらのインクを供給するための４つの供給口５１Ａが形成されている。それらの供給口５１Ａは、インクタンク５１がヘッドカートリッジ２０に装着されたときに、対応するヘッドカートリッジ側のインク供給管２６（図６参照）に接続される。インク供給管２６の周囲にはシール材２７が付設されており、インクタンク５１を装着した際にシール材２７が押圧されて、インク漏れを防止すると共に、インクタンク５１に対して上方の付勢力を与えるようになっている。
【００２３】
インクタンク５１には、インクの収容空間の上部を覆って封止する蓋部材としての上カバー５１Ｂが備えられており、この上カバー５１Ｂには、不図示の大気連通口が形成されている。また、インクタンク５１の一端側の面５１Ｃ（図７参照）には、ヘッドカートリッジ３０側の抜け止め穴３９（図８（ｂ）参照）に係合可能な不図示の抜け止め爪が形成されている。また、インクタンク５１の他端側の面５１Ｄ（図７参照）には、弾性変形可能なラッチレバー５１Ｅが一体的に形成されている。そのラッチレバー５１Ｅには、ヘッドカートリッジ３０側の係合穴４０（図１０参照）と係合可能なラッチ爪５１Ｆが形成されている。
【００２４】
また、インクタンク５１の左側面の上部には、左側のフック３５の操作を制限するための規制面５１Ｇ（図９（ｂ）参照）が形成されている。この規制面５１Ｇは、インクタンク５１が装着されたときに、図２のようにフック３５の内側に位置して、そのフック３５が矢印Ａ方向に操作されることを阻止する。つまり、インクタンク５１が装着されているときには、フック３５を矢印Ａ方向に操作することはできない。
【００２５】
一方、タンクカバー５３には、インクタンク５１の規制面５１Ｇに相当する面は形成されていない。つまり、タンクカバー５３には、右側のフック３６の矢印Ｂ方向の操作を阻止するための規制面が形成されていない。そのため、右側のフック３６は、タンクカバー５３の取り付けの如何に拘わらず矢印Ｂ方向に操作することができ、これによって右側の爪部３６Ａとロック穴４１４との係合はいつでも解除できる。しかし、このように右側の爪部３６Ａの係合を解除したとしても、左側のフック３５を矢印Ａ方向に操作して左側の爪部３５Ａの係合を解除しない限り、セットレバー３０のロックを解除して上方に回動させることはできない。つまり、インクタンク５１が装着されている場合には、セットレバー３０のロックを解除して上方に回動させることができない。そのため、ヘッドカートリッジ３０は外すことができず、ヘッドカートリッジ２０側の接点基板２５とキャリッジ４０３側のコネクタ４１２との接触圧が保たれて、それらの電気的な接続状態が維持される。
【００２６】
（ヘッドカートリッジの取り付け操作）
次に、ヘッドカートリッジ３０の取り付け操作について説明する。
【００２７】
ヘッドカートリッジ２０を取り付ける際には、図８（ａ）のようにセットレバー３０を上方に回動させてから、図８（ｂ）のようにキャリッジ４０３の開口部４０３Ａ内にヘッドカートリッジ２０を挿入する。その後、図９（ａ）のようにセットレバー３０を下方に回動させて、左右のフック３５，３６の爪部４５Ａ，３６Ａをキャリッジ４０３側のロック穴４１４，４１４に係合させる。これにより、セットレバー３０がロックされて、ヘッドカートリッジ３０がキャリッジ４０３に固定される。その際、前述したように、スプリング部３７，３８の先端３７Ａ，３８Ａがヘッドカートリッジ２０の左右の斜面２３，２４（図６参照）を押圧する。これにより、ヘッドカートリッジ２０側の接点基板２５がキャリッジ４０３側のコネクタ４１２（図４参照）に押し付けられて、それらが電気的に接続される。
【００２８】
（ヘッドカートリッジの取り外し操作）
図９（ａ）のように、インクタンク５１が装着されていないときには、左右のフック３５，３６を矢印Ａ，Ｂ方向に操作して、それらの爪部４５Ａ，３６Ａとキャリッジ４０３側のロック穴４１４，４１４との係合を解除することができる。これによりセットレバー３０のロックが解除され、その際に、ポップアップスプリング部４１の弾性復元力によって、セットレバー３０が上方に跳ね上げられる。そして、セットレバー３０を図８（ｂ）のように上方に回動させることにより、ヘッドカートリッジ２０を取り外することができる。
【００２９】
また、図２のようにインクタンク５１が装着されているときには、そのインクタンク５１の規制面５１Ｇによって左側のフック３５の矢印Ａ方向の操作が阻止される。そのため、前述したようにセットレバー３０のロックを解除することができず、ヘッドカートリッジ２０を取り外すことができない。そのヘッドカートリッジ２０を取り外す場合には、インクタンク５１を取り外せばよい。
【００３０】
（インクタンクの取り付け操作）
インクタンク５１を取り付ける際には、まず図９（ｂ）のように、ヘッドカートリッジ３０側の抜け止め穴３９（図８（ｂ）参照）に、インクタンク５１に形成された不図示の抜け止め爪を係合させる。それから、図２のように、ヘッドカートリッジ３０側の係合穴４０（図１０参照）に、インクタンク５１のラッチレバー５１Ｅのラッチ爪５１Ｆを係合させる。これによって、インクタンク５１がヘッドカートリッジ３０に取り付けられる。図１１のように、ヘッドカートリッジ５３も同様に取り付けることができる。
【００３１】
（インクタンクの取り外し操作）
インクタンク５１を取り外す際には、ラッチレバー５１Ｅを押して、そのラッチ爪５１Ｆとヘッドカートリッジ３０側の係合穴４０（図１０参照）との係合を解除してから、ラッチレバー５１Ｅを押し上げる。ヘッドカートリッジ５３も同様に取り外すことができる。
【００３２】
（ガイドシャフトの固定構造）
本例におけるガイドシャフト４０１は、記録装置本体の軽量化を図るために、中実のシャフトではなく、板厚１ｍｍの中空（パイプ）シャフトを用いている。この中空のガイドシャフト４０１の両端には、その周方向に沿って深さ０．５ｍｍの溝が形成されている。
【００３３】
ガイドシャフト４０１の左端４０１Ａは、図１２（ａ）のプレート６１を用いてシャーシ１００に固定される。プレート６１には、円弧部６１Ａと切り起こし部６１Ｂが形成されている。その円弧部６１Ａは、図１２（ａ）のように、ガイドシャフト４０１の左端４０１Ａに形成された深さ０．５ｍｍの溝４０１Ｃ内に差し込み可能である。また、ガイドシャフト４０１が固定されるシャーシ１００の部分には、図１３のような切り起こし部１００Ａ，１００Ｂと、図１４のような基準面部１００Ｃ，１００Ｄが形成されている。基準面部１００Ｃ，１００Ｄは、ガイドシャフト４０１の溝４０１Ｃと嵌合可能である。
【００３４】
ガイドシャフト４０１の左端４０１Ａを固定する場合には、図１３のように、プレート６１の円弧部６１Ａを溝４０１Ｃ内に差し込み、シャフトスプリング６２の中間部および両端部を切り起こし部６１Ｂ，１００Ａ，１００Ｂのそれぞれに引っ掛ける。これにより、基準面部１００Ｃ，１００Ｄと円弧部６１Ａの間に溝４０１Ｃが挟み込まれて、ガイドシャフト４０１の左端４０１Ａが固定される。
【００３５】
一方、ガイドシャフト４０１の右端４０１Ｂは、図１２（ｂ）のプレート６３を用いてシャーシ１００に固定される。プレート６３には、ガイドシャフト４０１の右端４０１Ｂを充分な余裕をもって通す孔部６３Ａが形成されており、その孔部６３Ａの一部には差込面部６３Ｂが形成されている。その差込面部６３Ｂは、ガイドシャフト４０１の右端４０１Ｂに形成された深さ０．５ｍｍの溝４０１Ｄ内に差し込み可能である。またプレート６３には、それを矢印Ｃ方向に押圧するための操作部６３Ｃ、その矢印Ｃ方向に延在するガイド溝６３Ｄ、および後述するボルト６４を通すためのボルト挿通孔６３Ｅが形成されている。また、ガイドシャフト４０１の右端４０１Ｂが固定されるシャーシ１００の部分には、ガイド溝６３Ｄ内に位置するガイド突起１００Ｅ（図１６参照）と、ボルト６４がねじ合うナット部１００Ｆ（図１６参照）と、基準面部１００Ｇ，１００Ｈが形成されている。基準面部１００Ｇ，１００Ｈは、ガイドシャフト４０１の溝４０１Ｄと嵌合可能である。
【００３６】
ガイドシャフト４０１の右端４０１Ｂを固定する場合には、図１５のように、プレート６３のガイド溝６３Ｄ内にガイド突起１００Ｅをはめ込み、差込面部６３Ｂを溝４０１Ｃ内に差し込む。さらに、プレート６３のボルト挿通孔６３Ｅを通して、ナット部１００Ｆにボルト６４をねじ付ける。そして、操作部６３を矢印Ｃ方向に押圧しつつ、ボルト６４を締め付けることにより、基準面部１００Ｇ，１００Ｈと差込面部６３Ｂの間に溝４０１Ｄが挟み込まれて、ガイドシャフト４０１の右端４０１Ｂが固定される。
【００３７】
このようなガイドシャフト４０１の右端４０１Ｂの固定構造は、シャーシ１００の右側に確保できるスペースが小さい場合に有利である。
【００３８】
（キャリッジの軸受け部）
本例においては、シャフト４０１に摺動自在に嵌まり合うキャリッジ４０３の左右の軸受け部には、図１７（ａ）のようなガイド部材７１と、図１７（ｂ）のようなオイルパッド７２が備えられている。ガイド部材７１は、スプリング７１の先端にスライダ７１Ｂを備えた構成となっている。このガイド部材７１は図１８のようにキャリッジ４０３に取り付けられ、スプリング７１の基端がキャリッジ４０３の左右の軸受け部の近傍にはめ付けられることにより、スライダ７１Ｂがガイドシャフト４０１の外面に接する位置に保持される。また、オイルを含有するオイルパッド７２は、図１８のようにキャリッジ４０３の左右の軸受け部に取り付けられて、その円孔７２Ａの内周面がガイドシャフト４０１の外周面に接するように位置決めされる。
【００３９】
（他の実施形態）
ヘッドカートリッジがキャリッジに装着されたときに、それらの電気的な接続部を互いに圧接させるための圧接手段は、セットレバーを用いた構成のみに特定されず、その圧接手段としての機能が発揮できる構成であればよい。
【００４０】
ヘッドカートリッジがキャリッジに装着されたときにヘッドカートリッジをキャリッジに固定し、かつ解除操作されることによってヘッドカートリッジの固定を解除するためのロック手段としては、セットレバーを用いた構成のみに特定されない。
【００４１】
また、そのロック手段の解除操作を阻止するための阻止手段は、インクタンクの装着時にロック手段の解除操作を阻止できる構成あればよく、前述した実施形態のようにインクタンク自体を用いる他、インクタンクの装着に連動する部材などを用いてもよい。
【図面の簡単な説明】
【００４２】
【図１】本発明の実施形態の記録装置においてカバーを開いた状態の斜視図である。
【図２】図１の記録装置における内部機構の斜視図である。
【図３】図２の内部機構におけるキャリッジ部分の斜視図である。
【図４】図３のキャリッジに組み込まれる配線部分の斜視図である。
【図５】図３におけるセットレバーの斜視図である。
【図６】図３のキャリッジに装着可能なヘッドカートリッジの斜視図である。
【図７】図６のヘッドカートリッジに装着可能なインクタンクの斜視図である。
【図８】（ａ）、（ｂ）は、図３のキャリッジに対するヘッドカートリッジの装着作業の説明図である。
【図９】（ａ）、（ｂ）は、図３のキャリッジに装着されたヘッドカートリッジに対するインクタンクの装着作業の説明図である。
【図１０】２つのインクタンクを装着が可能となるように、図３のキャリッジを構成した場合の斜視図である。
【図１１】図１０のキャリッジに２つのインクタンクを装着したときの斜視図である。
【図１２】（ａ）、（ｂ）は、図３におけるガイドシャフトの両端の固定に用いるプレートの平面図である。
【図１３】図３におけるガイドシャフトの左端の固定部分の斜視図である。
【図１４】図３におけるガイドシャフトの左端が固定されるシャーシ部分の斜視図である。
【図１５】図３におけるガイドシャフトの右端の固定部分の斜視図である。
【図１６】図３におけるガイドシャフトの右端が固定されるシャーシ部分の斜視図である。
【図１７】（ａ）、（ｂ）は、図３のキャリッジに取り付けられるガイド部材およびオイルパッドの斜視図である。
【図１８】図１７（ａ）、（ｂ）のガイド部材およびオイルパッドが取り付けられたキャリッジの軸受け部分の斜視図である。
【符号の説明】
【００４３】
２０    インクジェットカートリッジ
２５    接点基板
３０    セットレバー
３５，３６    フック
３５Ａ，３６Ａ    爪部
５１，５２    インクタンク
５１Ｇ    規制面
４０３    キャリッジ
４１２    コネクタ
４１４    ロック孔
【図１】
2008049566.tif 000003
【図２】
2008049566.tif 000004
【図３】
2008049566.tif 000005
【図４】
2008049566.tif 000006
【図５】
2008049566.tif 000007
【図６】
2008049566.tif 000008
【図７】
2008049566.tif 000009
【図８】
2008049566.tif 000010
【図９】
2008049566.tif 000011
【図１０】
2008049566.tif 000012
【図１１】
2008049566.tif 000013
【図１２】
2008049566.tif 000014
【図１３】
2008049566.tif 000015
【図１４】
2008049566.tif 000016
【図１５】
2008049566.tif 000017
【図１６】
2008049566.tif 000018
【図１７】
2008049566.tif 000019
【図１８】
2008049566.tif 000020